(57)【要約】【課題】人形玩具の姿勢の変化を人間の姿勢の変化により近いものにすることができる人形玩具を提供すること。【解決手段】人形玩具は、胴体部１が胸部１ａと腰部１ｂとに分離可能に形成され、胸部１ａには腕部２が、腰部１ｂには脚部３が着脱自在に構成され、上記胸部１ａと腰部１ｂとの内部にはそれぞれ磁石５、６と該磁石５、６の前後にそれぞれ磁着した板状の継鉄７、８とが配設され、胸部１ａの上記腕部２が取り付けられる肩部と、腰部１ｂの上記脚部３が取り付けられる股間部にはそれぞれ開口部１０、２０が形成され、該開口部１０、２０には上記継鉄７、８の一部を露出させ、上記腕部２と脚部３との上端にはそれぞれ球体状の磁性体１５、２５を設け、上記継鉄７、８の上記開口部１０、２０に対応する部分は、上記球体状の磁性体１５、２５に密着するように円弧状に切り欠いた。【選択図】図１
0003109283.tif 000002
【実用新案登録請求の範囲】
【請求項１】
以下の要件を備えることを特徴とする人形玩具。
（イ）上記人形玩具は、胴体部が胸部と腰部とに分離可能に形成され、胸部には腕部が、腰部には脚部が着脱自在に構成されること
（ロ）上記胸部と腰部との内部にはそれぞれ板状の磁石と該磁石の前後に磁着され、該磁石よりも大きな２枚の板状の継鉄とが配設され、胸部の上記腕部が取り付けられる肩部、腰部の上記脚部が取り付けられる股間部にはそれぞれ開口部が形成され、該開口部には上記継鉄の一部が露出していること
（ハ）上記腕部と脚部との上端には球体状の磁性体を設けたこと
（ニ）上記継鉄の上記開口部に対応する部分は、上記球体状の磁性体に密着するように円弧状に切り欠かれていること
【請求項２】
以下の要件を備える、請求項１記載の人形玩具。
（イ）前記胸部の底面と、腰部の上面とにはそれぞれ開口部が形成され、該開口部には前記継鉄の一部が露出していること
（ロ）上記胸部と腰部とは球体状の磁性体で連結されること
（ハ）上記継鉄の上記開口部に対応する部分は、上記球体状の磁性体に密着するように円弧状に切り欠かれていること
【考案の詳細な説明】
【技術分野】
【０００１】
本考案は、人形玩具、詳しくは人形玩具の姿勢を人間の姿勢により近く自由に変えることができる人形玩具に関するものである。
【背景技術】
【０００２】
従来、姿勢を自由に変えることができる人形玩具は様々なものが提案され、実用に供されているが、本出願人により姿勢を任意に変化させることができるだけではなく、他の玩具や機材と連係させて遊ぶことができ、遊びの幅を広げることができる人形玩具が提案されている（例えば、特許文献１）。
【０００３】
この人形玩具は、手の先や足の先に磁石を設け、人形玩具を鉄板等の上に立たせたり、針金等に吸着させて綱渡りをさせたりして、単に姿勢を変える遊びだけにとどまることがなく、遊びの幅を広げることができるようにしたものである。
【特許文献１】実用新案登録第３０４７５７３号公報
【考案の開示】
【考案が解決しようとする課題】
【０００４】
本考案が解決しようとする問題点は、上述の人形玩具は、手足の先に磁石を設け、鉄板や針金などに磁着させて遊ぶことができ遊びの幅を広げることはできるが、人形玩具自体の姿勢の変化には限界があった。
【０００５】
本考案は、上記問題点を解決し、人形玩具の姿勢の変化を人間の姿勢の変化により近いものにすることができる人形玩具を提供することを課題とする。
【課題を解決するための手段】
【０００６】
前記課題を解決するために本考案に係る人形玩具は、以下の要件を備えることを特徴とする。
（イ）上記人形玩具は、胴体部が胸部と腰部とに分離可能に形成され、胸部には腕部が、腰部には脚部が着脱自在に構成されること
（ロ）上記胸部と腰部との内部にはそれぞれ板状の磁石と該磁石の前後に磁着され、該磁石よりも大きな２枚の板状の継鉄とが配設され、胸部の上記腕部が取り付けられる肩部、腰部の上記脚部が取り付けられる股間部にはそれぞれ開口部が形成され、該開口部には上記継鉄の一部が露出していること
（ハ）上記腕部と脚部との上端には球体状の磁性体を設けたこと
（ニ）上記継鉄の上記開口部に対応する部分は、上記球体状の磁性体に密着するように円弧状に切り欠かれていること
なお、前記人形玩具は、以下の要件を備えることが好ましい。
（イ）前記胸部の底面と、腰部の上面とにはそれぞれ開口部が形成され、該開口部には前記継鉄の一部が露出していること
（ロ）上記胸部と腰部とは球体状の磁性体で連結されること
（ハ）上記継鉄の上記開口部に対応する部分は、上記球体状の磁性体に密着するように円弧状に切り欠かれていること
【考案の効果】
【０００７】
請求項１の考案によれば、胴体部に対し腕部、脚部が着脱可能であるとともに、胴体部内に設けた磁石に磁着した継鉄の一部が肩部、股間部に露出するとともに、露出部が腕部と脚部とにそれぞれ取り付けられた球体状の磁着体に密着するように円弧状に切り欠かれているので、胴体部に対し腕部と脚部とを自由に回動させることができ、人形玩具の姿勢の変化を人間の姿勢の変化に近づけることができる。
【０００８】
請求項２の考案によれば、胸部と腰部とに分離可能に形成された胴体部は、胸部と腰部とを球体状の磁着体で連結したので、前後への傾きや、左右への傾きが滑らかになり、より人間の姿勢の変化に近づいたリアルな姿勢を表現することができる人形玩具を実現することができる。
【考案を実施するための最良の形態】
【０００９】
胴体部に対し、腕部、脚部が着脱自在に構成された人形玩具において、上記胴体内部には磁石を設し、上記腕部が取り付けられる肩部、脚部が取り付けられる股間部には円形の開口部を形成され、該開口部の内方には上記磁石の一部が露出させ、上記腕部と脚部との上記胴体部との接続部には球体状の磁着体を設け、該磁着体の直径は上記開口部の直径よりも大きく形成し、上記磁着体を上記開口部に当接した時には、該磁着体は上記磁石に磁着するようにし、腕部や脚部が胴体部に対し自由に回動させることができるようにした。
【実施例１】
【００１０】
図１は、本考案に係る人形玩具の一例を示し、この人形玩具は、胴体部１、腕部２及び脚部３を有する玩具本体Ａを非磁性体の素材で形成したもので、上記胴体部１は胸部１ａと腰部１ｂとに分割され、腕部２は胸部１ａの肩に、脚部３は腰部１ｂの股間部に着脱できるように構成されているもので、全体として玩具本体Ａは小型（全高１０センチ程度）の人間の形態を模して形成されている。
【００１１】
図２に示すように、胴体部１は、非磁性体の素材（例えば、塩化ビニル、ＡＢＳ樹脂等の合成樹脂）で形成された胸部１ａと腰部１ｂとから構成され、胸部１ａと腰部１ｂとの内部には磁石５、６と、この磁石５、６をそれぞれ前後から挟むように磁着された継鉄７、８とが配設されている（図４参照）。
【００１２】
胸部１ａの上部両側面と底面とにはそれぞれ開口部１０、１１が形成され、この開口部１０、１１には上記継鉄７の一部が露出している。この継鉄７の一部は後述する球体状の磁性体１５、１６が密着できるように、磁性体１５、１６の球面と同じ円弧状に切り欠かれた受部１７、１８が形成され、上記磁石５で磁化された継鉄７の受部１７、１８に磁着した球体状の磁性体１５、１６はそれぞれ受部１７、１８に対し自由に回動させることができるようになっている（図３参照）。
【００１３】
一方、腰部１ｂの上面及び下部両側面にも開口部１９、２０が形成され、この開口部１９、２０には上記継鉄８の一部が露出している。この継鉄８の一部は上述した磁性体１６と、後述する球体状の磁性体２５が密着できるように、磁性体１６、２５の球面と同じ円弧状に切り欠かれた受部２２、２３を構成し、上述した磁石６で磁化された継鉄８の受部２２、２３に磁着した球体状の磁性体１６、２５は受部２２、２３に対し自由に回動させることができるようになっている。
【００１４】
そして、腕部２及び脚部３は胴体部１と同様に非磁性体の素材（例えば、塩化ビニル、ＡＢＳ樹脂等の合成樹脂）で形成され、胴体部１を構成する胸部１ａ、腰部１ｂと連結する部位には球体状の磁性体（例えば、鉄球）１５、２５が取り付けられ、この鉄球１５、２５を胸部１ａ、腰部１ｂの開口部１０、２０に接近させると、磁石５、６で磁化された継鉄７、８の受部１７、２３にそれぞれ磁着し、胸部１ａ、腰部１ｂに対し腕部２、脚部３は自由に回動することができるようになっている（図３参照）。
【００１５】
腕部２は、上腕２ａ、前腕２ｂ、手部２ｃ、および上腕２ａの上端に回動可能に連結された肩部２ｄとから構成され、肩部２ｄには上述した鉄球１５が固定され、腕部２は胸部１ａに対し鉄球１５を介して回動自在に連結され、肩部２ｄに対し上腕２ａが回動自在に、上腕２ａに対し前腕２ｂが回動自在に連結され、前腕２ｂに対し手部２ｃが回動自在に連結されているので、腕部２全体の形状を自由に変えられるとともに、腕部２自体を胸部１ａに対し自由に回動させることができるようになっている(図２参照)。
【００１６】
脚部３は大腿部３ａ、下腿部３ｂ、足部３ｃとからそれぞれ構成され、大腿部２ａには上述した鉄球２５が固定され、脚部３は腰部１ｂに対し鉄球２５を介して回動自在に連結され、大腿部３ａに対し下腿部３ｂが回動自在に、下腿部３ｂに対し足部３ｃが回動自在に連結されているので、脚部３全体の形状を自由に変えられるとともに、脚部３自体を腰部１ｂに対し自由に回動させることができるようになっている(図２参照)。
【００１７】
上記構成の人形玩具によれば、胴体部１が胸部１ａと腰部１ｂとから構成され、胸部１ａと腰部１ｂとが球体１６で回動自在に連結されるとともに、胸部１ａに腕部２が、腰部１ｂに脚部３がそれぞれ球体１５、２５で回動自在に連結されているので、図５（ａ）に示すように、起立状態から上半身を前傾させた場合、脚部３に対して腰部１ｂが前方に回動し、腰部１ｂに対して胸部１ａが前方に回動するので、人間が御辞儀をするように上体を滑らかに曲げることができるし、図５（ｂ）に示すように、起立状態から上半身を左右方向に傾けた場合、腰部１ｂは両脚部３、３に支えられて左右方向に傾くことはないが、胸部１ａが腰部１ｂに対して球体１６を介して左右方向に傾けることができるので、人間が両足を地に付けて上体を左右に曲げるような姿勢を作り出すことができ、より人間の姿勢に近い状態を作り出すことができる。
【００１８】
なお、胸部１ａと腰部１ｂとは球体１６を介して磁力で連結され、胸部１ａと腕部２とは球体１５を介して磁力で連結され、腰部１ｂと脚部３とは球体２５を介して磁力で連結されているので、磁力より強い力で引き離せば胸部１ａ、腰部１ｂ、腕部２及び脚部３は分離することができるので、他の同一構成の人形玩具と構成部品を入れ替えることができ、ユーザーのオリジナルな人形玩具を組み上げることもできるので、さらに人形玩具遊びを楽しむことをできる。
【図面の簡単な説明】
【００１９】
【図１】本考案に係る人形玩具の基本的な構成を説明する正面図
【図２】上記人形玩具を分解した状態を説明する正面図
【図３】胴体部に配置された磁石と継鉄と磁着体との関係を示す正面図
【図４】磁石と継鉄と磁着体との関係を説明する分解斜視図
【図５】（ａ）（ｂ）は上記人形玩具の姿勢の特徴を説明する側面図及び正面図
【符号の説明】
【００２０】
１    胴体部
１ａ    胸部
１ｂ    腰部
２    腕部
３    脚部
５、６    磁石
７、８    継鉄
１５，２５    磁性体
【図１】
0003109283.tif 000003
【図２】
0003109283.tif 000004
【図３】
0003109283.tif 000005
【図４】
0003109283.tif 000006
【図５】
0003109283.tif 000007